(57)【要約】      （修正有）【課題】エチレン酢酸ビニル共重合体とエチレンプロピレンゴムを主体とする樹脂からなる一体成形品である履物のアイレット・タブのひもを通すための孔付近を補強した履物を提供する。【解決手段】ひもを通すための孔７付近に、前記孔７に対応する孔８ａを有する補強部材８を添設する。そして、前記両孔７，８にアイレット９を装着して前記補強部材８をアイレット・タブ４のタブ面に沿わせて固定する。履物を履いてアイレット９にひもを通して強く引っ張っても、素材が柔らかいためにアイレット９ごと引っ張られてひもを通すための孔７が変形することを防止できる。【選択図】図１
0003170433.tif 000002
【実用新案登録請求の範囲】
【請求項１】
エチレン酢酸ビニル共重合体とエチレンプロピレンゴムを主体とする樹脂からなる射出成形品であって、ひもを通すための孔を有するアイレット・タブを含む全てのパーツが一体的であるものにおいて、前記アイレット・タブのひもを通すための孔付近に、前記孔に対応する孔を有する補強部材が添設され、前記両孔にアイレットを装着して前記補強部材をアイレット・タブのタブ面に沿わせて固定したことを特徴とする履物。
【請求項２】
補強部材は、アイレット・タブの内面に添設されることを特徴とする請求項１記載の履物。
【請求項３】
ひもを通すための孔を有するアイレット・タブのタブ面に、補強部材を嵌合させるための凹部が形成されていることを特徴とする請求項１又は２記載の履物。
【請求項４】
補強部材が２つ以上の孔を有する長さを備えたものであることを特徴とする請求項１〜３のいずれかに記載の履物。
【請求項５】
補強部材が熱可塑性ウレタン（ＴＰＵ）からなることを特徴とする請求項１〜４のいずれかに記載の履物。
【考案の詳細な説明】
【技術分野】
【０００１】
本考案は、エチレン酢酸ビニル共重合体とエチレンプロピレンゴムを主体とする樹脂からなる射出成形品であって、ひもを通すための孔を有するアイレット・タブを含む全てのパーツが一体的であるものにおいて、前記孔を補強するための工夫を凝らした履物に関する。
【背景技術】
【０００２】
従来、予め履物の底を成形しておき、この履物の底を履物本体の射出成形と同時に一体的ならしめる技術が提案されている（例えば、特許文献１参照）。
【先行技術文献】
【特許文献】
【０００３】
【特許文献１】特開昭５５−９９２０１号公報
【考案の開示】
【考案が解決しようとする課題】
【０００４】
この場合には、履物の底を履物本体の射出成形と同時に一工程で一体に成形することができるが、履物の底を成形する工程が別途必要であるから、全体的には二工程を必要とする。
【０００５】
そこで、本考案者らは、その工程をさらに減らして一工程で履物のパーツ全てを一体的に成形することができる技術を開発した。
【０００６】
この場合には、エチレン酢酸ビニル共重合体とエチレンプロピレンゴムを主体とする樹脂を射出成形することにより、ひもを通すための孔を有するアイレット・タブを含む全てのパーツを一体的に製造することができる。そして、この履物の最大の特長は、非常に軟らかく、しかも、極めて軽いということである。
【０００７】
したがって、上記樹脂からなる射出成形品であって、他のパーツと一体的であるアイレット・タブにひもを通すための孔が形成されているものでは、前記孔にアイレットを取り付けただけでは、履物を履いて前記アイレットにひもを通して強く引っ張ると、素材が柔らかいためにアイレットごと引っ張られて前記孔が変形し、ひどいときには、ひもを通すための孔がちぎれてひもを通して履く履物として用をなさなくなるという事態が生じる場合がある。
【０００８】
このような欠点を解消するためには、前記アイレット・タブに形成されているひもを通すための孔付近を補強する必要がある。
【課題を解決するための手段】
【０００９】
この補強のために、本考案では、エチレン酢酸ビニル共重合体とエチレンプロピレンゴムを主体とする樹脂からなる射出成形品であって、ひもを通すための孔を有するアイレット・タブを含む全てのパーツが一体的であるものにおいて、前記アイレット・タブのひもを通すための孔付近に、前記孔に対応する孔を有する補強部材が添設され、前記両孔にアイレットを装着して前記補強部材をアイレット・タブのタブ面に沿わせて固定したものである。
【００１０】
このようにした場合には、履物を履いてアイレットにひもを通して強く引っ張っても、素材が柔らかいためにアイレットごと引っ張られてひもを通すための孔が変形することがない。したがって、ひもを通すための孔がちぎれてひもを通して履く履物として用をなさなくなるという事態が生じるのを回避できる。
【００１１】
補強部材は、アイレット・タブの内面に添設されるのが好ましい。このようにした場合には、履物の外側からアイレット・タブのタブ面に沿わせて補強部材が添設されているのが見えないから、極めて体裁が良い。
【００１２】
ひもを通すための孔を有するアイレット・タブのタブ面に、補強部材を嵌合させるための凹部が形成されていることが好ましい。このようにした場合には、前記凹部に補強部材がきっちり納まって妄りに動くことがないから、アイレット・タブのタブ面に取り付けられた補強部材が、アイレット・タブのタブ面に沿って強固に固定され、妄りに脱落することがない。
【００１３】
補強部材が２つ以上の孔を有する長さを備えたものとすることが好ましい。補強部材をこのような長さとした場合には、アイレット・タブのひもを通すための２つ以上の孔が、２つ以上の孔を有する長さを備えた１つの補強部材で同時に補強されるので、アイレット・タブのひもを通すための孔を１つの補強部材で補強している場合より、さらに強固に補強することができる。
【００１４】
補強部材は様々な材質のものから製造することができる。例えば、熱可塑性ウレタン（ＴＰＵ）製、合成樹脂製、レザー製、ゴム製とすることができる。補強部材が熱可塑性ウレタン（ＴＰＵ）からなるものとすると、補強部材が適度な強度を有するものとなり、また、金型成型や板状に成型したものを１枚ごと裁断することで製造できる等、製造面、コスト面でも極めて有利である。
【考案の効果】
【００１５】
請求項１記載の考案によれば、履物を履いてアイレットにひもを通して強く引っ張っても、素材が柔らかいためにアイレットごと引っ張られてひもを通すための孔が変形することを防止できる。したがって、ひもを通すための孔がちぎれてひもを通して履く履物として用をなさなくなるという事態が生じるのを回避できる。
【００１６】
請求項２記載の考案によれば、履物の外側からアイレット・タブのタブ面に沿わせて補強部材が添設されているのが見えないから、極めて体裁が良い。
【００１７】
請求項３記載の考案によれば、凹部に補強部材がきっちり納まって妄りに動くことがないから、アイレット・タブのタブ面に取り付けられた補強部材が、アイレット・タブのタブ面に沿って強固に固定され、妄りに脱落することがない。
【００１８】
請求項４記載の考案によれば、アイレット・タブのひもを通すための２つ以上の孔が、２つ以上の孔を有する長さを備えた１つの補強部材で同時に補強されるので、アイレット・タブのひもを通すための孔を１つの補強部材で補強している場合より、さらに強固に補強することができる。
【００１９】
請求項５記載の考案によれば、アイレット・タブのひもを通すための孔を補強するための補強部材が適度な強度を有するものとなり、また、金型成型や板状に成型したものを１枚ごと裁断することで製造できる等、製造面、コスト面でも極めて有利である。
【図面の簡単な説明】
【００２０】
【図１】本考案による履物の一例を示す斜視図で、左右にあるアイレット・タブの一方を便宜上起すとともに、１つの補強部材とそれに形成されている２つの孔に取り付けられる２つのアイレットとその部分に通されるひもの一部を、タブ面から分離した状態で示す。
【考案を実施するための形態】
【００２１】
本考案による履物の一例を、図面を参照しながら詳細に説明する。本考案による履物とは、エチレン酢酸ビニル共重合体とエチレンプロピレンゴムを主体とする樹脂を射出成形し、底面１、かかと２、甲革３、左右にあるアイレット・タブ４，４、羽根５、カフス６を含む履物本体の全てが一体的に成形された射出成形品である。
【００２２】
図１においては、左右にあるアイレット・タブ４，４の一方（内側）を便宜上起してその内面が良く見えるように表わしてあって、その図面に基づいて以下詳細に説明する。
なお、図１では、一方（内側）のアイレット・タブ４のひもを通すための２つの孔７，７と、前記各孔７，７に対応する２つの孔８ａ，８ａを有する１つの補強部材８と、前記２つの孔７，７と前記２つの孔８ａ，８ａに取り付けられる２つのアイレット９，９と、その部分に通されるひも１０の一部を、タブ面から分離させた状態で示す。
【００２３】
左右にあるアイレット・タブ４，４には、ひもを通すための孔７が７つずつ形成されている。そして、７つの孔７，７のうち、両アイレット・タブ４，４の長さ方向における両端の２つの孔７，７の内面には、前記２つの孔７，７に対応する２つの孔８ａ，８ａを有する補強部材８が１枚ずつそれぞれ添設されている。また、両アイレット・タブ４，４の中央に位置する３つの孔７，７の内面には、前記３つの孔７，７に対応する３つの孔８ａ，８ａを有する１枚の補強部材８が添設されている。
【００２４】
そして、互いに対応する両孔７，８ａ、７，８ａに、アイレット９をそれぞれ装着し、前記補強部材８，８を左右のアイレット・タブ４，４のタブ面にそれぞれ沿わせて固定してある。さらに、左右のアイレット・タブ４，４に取り付けられた各アイレット９，９には、１本のひも１０をタスキ掛けのように通してある。
【００２５】
補強部材８は様々な材質のものから製造することができる。例えば、熱可塑性ウレタン（ＴＰＵ）製、合成樹脂製、レザー製、ゴム製とすることができる。補強部材が熱可塑性ウレタン（ＴＰＵ）からなるものとすると、補強部材が適度な強度を有するものとなり、また、金型成型や板状に成型したものを１枚ごと裁断することで製造できる等、製造面、コスト面でも極めて有利である。
【００２６】
なお、互いに対応する孔７，８ａ、７，８ａにそれぞれ装着されるアイレット９は、雄部材９ａと雌部材９ｂとから構成されている。そして、雄部材９ａの筒部分に雌部材９ｂを嵌め合わせ、両者を前後方向から加圧すると、雄部材９ａと雌部材９ｂとが一体的となり、各補強部材８，８を左右のアイレット・タブ４，４のタブ面にそれぞれ沿わせて固定することができる。
【００２７】
エチレン酢酸ビニル共重合体（ＥＶＡ）とエチレンプロピレンゴム（ＥＰＲ）の混合比は、前者を７５〜８５重量％、後者を１５〜２５重量％とするのが最適であり、これらを主体とする樹脂に架橋剤と発泡剤とを適量添加することが望ましい。そして、混練調整したこの樹脂混和物を射出成形機に供給して発泡剤の分解温度以下で溶融混練し、この溶融混練樹脂混和物を発泡剤の分解温度以上に加熱した金型に注入する。すると、金型内で前記溶融混練樹脂混和物が成形され、この成形物を金型から開放して発泡膨張させれば、図１に示すような履物を得ることができる。
【００２８】
なお、履物の底面１をザラザラした面にしておくと良い。このようにするには、成形用金型のキャビティ面をザラザラにしておけば良い。そうすると、成形物を金型から開放した時、履物の底面１が自然にザラザラした面になり、履いた場合にも滑りにくい。
【００２９】
この履物は極めて軽く、特に、底面１、かかと２、甲革３、アイレット・タブ４、羽根５、カフス６等パーツの隣り合う部分が、射出成形による段差ａとして形成されている。この段差ａも一体成形という極めて簡単な工程により形成され、図１に示すように、パーツを互いに繋ぎ合わせた場合と同じような形になる。
【００３０】
また、射出成形による凹凸状の縫合線ｂが、射出成形による段差ａに沿って形成されている。この縫合線ｂも一体成形という極めて簡単な工程により形成され、しかも、パーツを互いに繋ぎ合わせた部分に糸に代わる縫合線として形成され、パーツを糸で縫合した場合と同じような形になる。
【００３１】
このように、底面１、かかと２、甲革３、アイレット・タブ４、羽根５、カフス６等を含む履物本体の全てを一体的に成形することにより得られた履物は、極めて軽く、しかも、従来の場合のようにパーツの接合部分や糸による縫合部分からの水の侵入を完全に防止できる。
【産業上の利用可能性】
【００３２】
したがって、厨房や洗車時等水を扱う際に履けば、また、水を含んでいるゴルフ場において使用するスパイクに適用すると、非常に有利である。また、図面では、本考案を短い履物に適用した場合を例示したが、それよりも背の高い形式のブーツや長靴タイプの履物にも充分適用できる。
【符号の説明】
【００３３】
１…底面、２…かかと、３…甲革、４…アイレット・タブ、５…羽根、６…カフス、ａ…段差、ｂ…凹凸状の縫合線。
【図１】
0003170433.tif 000003